(57)【要約】      （修正有）【課題】座席に組み立てられた椅子用背当てに対し、簡単な操作により、ユーザーの必要な角度方位に準じる調整を可能とする調整構造を提供する。【解決手段】椅子用背当ての調整ユニット２に対し、本体２１の外側に寄り添う軸心箇所に嵌設した押さえ部２６が内向きに押された時に、軸心２３の外歯部２３１が回転式背当て２２の内歯部２２５の規制を脱離するために、回転式背当て２２が自由状態を呈して如何なる角度の調整を進行でき、押さえ部２６を放してリセットした後に、軸心２３の一側に嵌設された弾性素子２４が外向きに支えられることにより、再び軸心２３の外歯部２３１が回転式背当ての内歯部２２５の規制を受け、回転式背当て２２が穏やかな位置決め状態を呈する。【選択図】図１
0003149244.tif 000002
【実用新案登録請求の範囲】
【請求項１】
椅子用背当ての調整構造は、座席のチョウ・シートの後方に組み立てられて椅子用背当てに対し角度の調整を行う構造を含み、その改良は、該椅子用背当ての調整ユニットが外歯部を具する軸心を取って本体と回転式背当ての接続段部の内孔との間に挿設され、更に弾性素子を軸心の一側に嵌設し、続いて螺合固定素子により蓋体を本体の上にロック・インし、そして本体の外側に寄り添う軸心箇所に押さえ部を嵌設し、これにより、押さえ部が内向きに押された時に、軸心の外歯部が回転式背当ての内歯部の規制を脱離するために、回転式背当てが自由状態を呈して如何なる角度の調整を進行でき、更に押さえ部を放してリセットした後に、軸心の一側に嵌設された弾性素子が外向きに支えられることにより、再び軸心の外歯部が回転式背当ての内歯部の規制を受け、そして回転式背当てが穏やかな位置決め状態を呈するものにあることを特徴とする椅子用背当ての調整構造。
【請求項２】
該回転式背当ての接続段部の上下の両方位は、それぞれ位置規制部を形成できることにより、角度の調整が小さすぎる或いは大きすぎる状況を起こすことを防ぐことを特徴とする請求項１に記載の椅子用背当ての調整構造。
【請求項３】
該本体の下方には、孔に連通する槽孔を開設でき、ねじ孔を具する金属結合部の嵌入に供することにより、そのロック・インした結合度を増加することを特徴とする請求項１に記載の椅子用背当ての調整構造。
【請求項４】
該回転式背当てと本体との間に、弾性材質のワッシャを嵌合できることにより、両部材の間の密着度を増加することを特徴とする請求項１に記載の椅子用背当ての調整構造。
【請求項５】
該軸心の両側により形成された嵌設段部は、非円形造形設計であることを特徴とする請求項１に記載の椅子用背当ての調整構造。
【考案の詳細な説明】
【技術分野】
【０００１】
本考案は、椅子用背当ての調整構造を提供するものであるが、主として座席に組み立てられた椅子用背当てに対し、簡単な操作により、ユーザーの必要な角度方位に準じる調整を達成する。
【背景技術】
【０００２】
故に、目前に業界により開発された色々な機能式椅子は、異なる消費の方面のユーザーの必要な場合と手法の運用に対応し、何れも予定形態の椅子の座クッション，背当て，肘かけユニットには、エルゴノミクス（人間工学）に合致する機構を設置できることにより、ユーザーが椅子に座り込んだ後に、予定の快適性を取得できる。
【考案の開示】
【考案が解決しようとする課題】
【０００３】
背当ての調整については、本創作者は、以前に申請を出願し且つ特許を許可するために、台湾特許証明書番号Ｍ３０８０２０の「座席の構造改良」の実用新案を公開し、該椅子に対し予定の椅子用背当ての角度の調整動作を達成できるが、但し該椅子用背当てがユーザーの体に接触する距離は実に有限で、従って予定の快適さの度合の効用を取得できない。
【課題を解決するための手段】
【０００４】
本考案は、即ち前記に基づき、同じ性質を具し且つ背中の快適な触感とする椅子用背当てを架設して組み立てられ、他の新たな形態の設計を作成することにより、ユーザーが椅子用背当ての調整を実施する時に、便利かつ迅速な動作により、つまり予定の角度方位の調整を完成でき、ひいてはユーザーが該椅子に座り込む時に、椅子用背当てに完全に貼り付けることが出来ることにより、人間工学に合致し且つ快適な効用を取得できる。
【考案の効果】
【０００５】
本考案の主要な目的は、座席のチョウ・シートの後方に組み立てられた椅子用背当ての調整ユニットを提供するものであるが、それは、外歯部を具する軸心を取って本体と回転式背当ての内孔との間に挿設され、更に弾性素子を軸心の一側に嵌設し、続いて螺合固定素子により蓋体を本体の上にロック・インし、そして本体の外側に寄り添う軸心箇所に押さえ部を嵌設し、これにより、押さえ部が内向きに押された時に、軸心の外歯部が回転式背当ての内歯部の規制を脱離するために、回転式背当てが自由状態を呈して如何なる角度の調整を進行でき、更に押さえ部を放してリセットした後に、軸心の一側に嵌設された弾性素子が外向きに支えられることにより、再び軸心の外歯部が回転式背当ての内歯部の規制を受け、そして回転式背当てが穏やかな位置決め状態を呈する。
【考案を実施するための最良の形態】
【０００６】
本考案の設計した椅子用背当ての調整構造は、図１と図２を参照して示すように、主として座席のチョウ・シート（１）の後方に組み立てられた椅子用背当ての調整ユニット（２）が本体（２１），回転式背当て（２２），軸心（２３），弾性素子（２４），蓋体（２５），押さえ部（２６）と螺合固定素子（２７、２８）より組み合わせて構成される。
【０００７】
本体（２１）は、その底面が平整状を呈し、本体（２１）の後方に寄り添う一側に、欠け口空間（２１１）が形成され、続いて欠け口空間（２１１）寄りの係止部（２１２）の間に内孔（２１３）が開設され、そして本体（２１）の他側に、螺合固定素子（２７、２８）のロック・インに供する孔（２１４、２１５）が開設される。
【０００８】
回転式背当て（２２）は、その一端が凹環槽（２２２）を具する接続段部（２２１）が形成され、接続段部（２２１）の両側に貼付け部（２２３）が突設され、且つ接続段部（２２１）の内に内歯部（２２５）を具する内孔（２２４）が形成され、そして接続段部（２２１）の上下の両方位に沿ってそれぞれ位置規制部（２２６、２２７）が形成され、続いて回転式背当て（２２）の他端に椅子用背当て（３）の軸着結合に供する軸着孔（２２８）が開設される。
【０００９】
軸心（２３）は、その一側に回転式背当て（２２）の内歯部（２２４）に対応する外歯部（２３１）が形成され、且つ両側にそれぞれ造形を具する嵌設段部（２３２、２３３）が形成される（非円形造形の需要があり、ここに矩形を実施と看做す）。
【００１０】
蓋体（２５）は、本体（２１）の外形に準じて設立され、一側に係止部（２５１）が形成され、且つその間に内孔（２５２）が開設され、蓋体（２５）に寄り添う外側には、孔（２５３、５２４）が開設される。
【００１１】
組立ての実施（図１と図４を参照）は、先ず軸心（２３）を本体（２１）と回転式背当て（２３）の内孔（２２４）との間に挿設し、且つ弾性素子（２４）を軸心（２３）の一側に嵌設し、更に螺合固定素子（２７、２８）により蓋体（２５）を本体の上にロック・インし、最後に本体（２１）の外側に寄り添う軸心（２３）箇所には、押さえ部（２６）を嵌設し、次に造形の椅子用背当て（３）を回転式背当て（２２）の軸着孔（２２８）の間に軸着するものである。
【００１２】
角度調整の実施（図３と図５を参照）は、ユーザーが押さえ部（２６）を内向きに押す時に、軸心（２３）の外歯部（２３１）が回転式背当て（２２）の内歯部（２２５）の規制を脱離するために、回転式背当て（２２）が自由状態を呈し（例えば図５、図６）、如何なる角度の調整を進行でき、更にユーザーが押さえ部（２６）を放してリセットした後に、軸心（２３）の一側に嵌設された弾性素子（２４）が外向きに支えられることにより、再び軸心（２３）の外歯部（２３１）が回転式背当て（２２）の内歯部（２２５）の規制を受け、そして回転式背当て（２２）が穏やかな位置決め状態（例えば図４と図７）を呈するが、椅子用背当ての調整ユニット（２）を利用して角度の調整を実施できる以外に、回転式背当て（２２）の軸着孔（２２８）の間に軸着された造形の椅子用背当て（３）も角度を調整でき（例えば図７）、ユーザーが該椅子に座り込む時に、椅子用背当て（３）に完全に貼り付けることが出来るように達成することにより、人間工学の快適感に合致する。
【００１３】
本考案の回転式背当て（２２）の調整した角度幅は、接続段部（２２１）の上下の両方位により形成された位置規制部（２２６、２２７）に規制され、その前向きの最大の極限が位置規制部（２２６）を本体（２１）の前側の表層面（２１６）に当着するもので（例えば図８）、その後向きの最大の極限が位置規制部（２２７）を本体（２１）の欠け口空間（２１１）の壁面（２１７）に当着するもので（例えば図９）、位置規制部（２２６、２２７）の設計を利用し、角度の調整が小さすぎて座り込むことが出来ないこと及び角度の調整が大きすぎて危険を起こす状況を、防ぐ。
【００１４】
更に本考案も、本体（２１）の下方には、その他に孔（２１４）に連通する槽孔（２１８）を開設でき、ねじ孔（２９１）を具する金属結合部（２９）の嵌入に供することにより、そのロック・インした結合度を増加するが、図１に示すように参照する。
【００１５】
更に、回転式背当て（２３）と本体（２１）との間にも、弾性材質のワッシャ（２０）を嵌合できることにより、両部材の間の密着度を増加するが、図１に示すように参照し、そして該ワッシャ（２０）がゴム，ＥＶＡ，ＰＶＣ…などの弾性材質であっても良い。
【図面の簡単な説明】
【００１６】
【図１】本考案の椅子用背当ての調整ユニットの部材の分解斜視図である。
【図２】本考案の椅子用背当ての調整ユニットとチョウ・シートの結合した斜視模式図である。
【図３】本考案の椅子用背当ての調整ユニットの左側の模式図である。
【図４】図３のＡ−Ａ断面の模式図である。
【図５】本考案の椅子用背当ての調整ユニットの動作の断面模式図である。
【図６】本考案の椅子用背当ての調整ユニットと椅子用背当ての結合した左側の模式図である。
【図７】本考案の椅子用背当ての調整ユニットの動作の左側模式図である。
【図８】図７のＢ箇所の拡大した詳細図である。
【図９】図７のＣ箇所の拡大した詳細図である。
【符号の説明】
【００１７】
１  チョウ・シート
２  椅子用背当ての調整ユニット
３  椅子用背当て
２０  ワッシャ
２１  本体
２２  回転式背当て
２３  軸心
２４  弾性素子
２５  蓋体
２６  押さえ部
２７、２８  螺合固定素子
２９  金属結合部
２１１  欠け口空間
２１２、２５１  係止部
２１３、２２４、２５２  内孔
２１４、２１５、２５３、５２４  孔
２１６  表層面
２１７  壁面
２１８  槽孔
２２１  接続段部
２２２  凹環槽
２２３  貼付け部
２２５  内歯部
２２６、２２７  位置規制部
２２８  軸着孔
２３１  外歯部
２３２、２３３  嵌設段部
２９１  ねじ孔
【図１】
0003149244.tif 000003
【図２】
0003149244.tif 000004
【図３】
0003149244.tif 000005
【図４】
0003149244.tif 000006
【図５】
0003149244.tif 000007
【図６】
0003149244.tif 000008
【図７】
0003149244.tif 000009
【図８】
0003149244.tif 000010
【図９】
0003149244.tif 000011